(57)【要約】【課題】シート４の表面の両側部に所定の間隔で支持体６が取り付けられているウエブ２が蛇行した場合にその経路を修正する。【解決手段】修正ガイド１４は、ウエブ２の両側に取り付けられている支持体６の中間に嵌合可能な規制部３０を有する規制ガイド２６と、ウエブ２の背面側に配置された対向ガイド２８を有している。規制部３０は、上流端３０ａの幅Ｗ３が狭く、下流側に向かって次第に幅が広くなっており、下流端３０ｂでは、規制部３０の幅Ｗ４が、ウエブ２の両側に取り付けられた支持体６間の空間８の幅Ｗ２とほぼ等しくなっている。繰り出されたウエブ２が搬送経路からずれていても、規制部３０によって所定の経路に修正される。【選択図】図３
2015081195.tif 000002
【特許請求の範囲】
【請求項１】
進行方向に対して交差する方向に間隔をあけて突出部が形成されたウエブの蛇行修正装置であって、
ロール状に巻かれたウエブを繰り出す繰り出し手段と、ウエブの蛇行を修正する修正ガイドとを備え、
修正ガイドは、前記突出部間に嵌り込む規制部が形成された規制ガイドと、この規制ガイドと対向して配置され、規制ガイドとともにウエブを案内する対向ガイドとを有し、前記規制部を進行方向下流に向かって徐々に前記突出部の間隔に近似するように拡開させたことを特徴とするウエブの蛇行修正装置。
【請求項２】
突出部が形成されたウエブの蛇行修正装置であって、
ロール状に巻かれたウエブを繰り出す繰り出し手段と、ウエブの蛇行を修正する修正ガイドとを備え、
修正ガイドは、前記突出部を挟み込むように配置された一対の規制部が形成された規制ガイドと、この規制ガイドと対向して配置され、規制ガイドとともにウエブを案内する対向ガイドとを有し、前記一対の規制部の間隔を進行方向下流に向かって徐々に前記突出部に近似するように狭くしたことを特徴とするウエブの蛇行修正装置。
【発明の詳細な説明】
【技術分野】
【０００１】
本発明は、ロール状に巻かれたウエブを繰り出す際に、ウエブの進行方向を規制する蛇行修正装置に係り、特に、ウエブの表面に突出した支持体が形成されたウエブの蛇行を修正するウエブの蛇行修正装置に関するものである。
【背景技術】
【０００２】
ウエブの蛇行修正装置は従来から知られている（例えば、特許文献１参照）。従来のウエブの蛇行修正装置は、繰り出されて進行しているウエブの端部をセンサにより検出してずれ量を求め、ローラを揺動させる等によりウエブの蛇行を修正している。
【０００３】
ところで、近年、レギュラーコーヒーの粉をバッグ内に収容し、このバッグの両側に取り付けた支持体をカップの縁に引っ掛ける形態のコーヒー抽出用バッグが広く用いられている（例えば、特許文献２参照）。このようなバッグの製造過程では、予め一定の間隔で支持体が取り付けられたウエブを搬送し、所定の処理を行うことによりバッグの基本的な形状を成形している。このような支持体が取り付けられたウエブを繰り出す場合にも、従来は、ウエブの端部をセンサで検出して蛇行を修正するようにしている。
【先行技術文献】
【特許文献】
【０００４】
【特許文献１】特許第３５７３２９２号公報
【特許文献２】特開２０１２−２３１９７３号公報
【発明の概要】
【発明が解決しようとする課題】
【０００５】
前記のようなコーヒー抽出用のバッグを成形するためのウエブには、両側部に一定の間隔で支持体が取り付けられており、この支持体がウエブの端部よりも外側に飛び出している場合がある。このように支持体がウエブの端部よりも外側に飛び出していると、センサがウエブの端部を誤検出するおそれがあり、ウエブの端部を正確に検出できず、蛇行を修正できない場合があった。
【課題を解決するための手段】
【０００６】
本発明は、前記課題を解決するためになされたもので、進行方向に対して交差する方向に間隔をあけて突出部が形成されたウエブの蛇行修正装置であって、ロール状に巻かれたウエブを繰り出す繰り出し手段と、ウエブの蛇行を修正する修正ガイドとを備え、修正ガイドは、前記突出部間に嵌り込む規制部が形成された規制ガイドと、この規制ガイドと対向して配置され、規制ガイドとともにウエブを案内する対向ガイドとを有し、前記規制部を進行方向下流に向かって徐々に前記突出部の間隔に近似するように拡開させたことを特徴とするものである。
【０００７】
また、第２の発明は、突出部が形成されたウエブの蛇行修正装置であって、ロール状に巻かれたウエブを繰り出す繰り出し手段と、ウエブの蛇行を修正する修正ガイドとを備え、修正ガイドは、前記突出部を挟み込むように配置された一対の規制部が形成された規制ガイドと、この規制ガイドと対向して配置され、規制ガイドとともにウエブを案内する対向ガイドとを有し、前記一対の規制部の間隔を進行方向下流に向かって徐々に前記突出部に近似するように狭くしたことを特徴とするものである。
【発明の効果】
【０００８】
本発明に係るウエブの蛇行修正装置は、ウエブに形成された突出部（支持体）に嵌合する規制部を有する規制ガイドを配置し、これら突出部と規制部との間隔を、上流側が最も大きく、下流側に向かうに従って小さくしていくようにしたので、突出部がウエブの外側にはみ出している場合でも蛇行を修正することが可能であり、また、ガイドのみでウエブの蛇行修正が可能であり、従来の構成と比較してローコストである。
【図面の簡単な説明】
【０００９】
【図１】図１はウエブの蛇行修正装置の構成を簡略化して示す側面図である。（実施例１）
【図２】図２はウエブの平面図である。
【図３】図３は修正ガイドを示す図であり、図（ａ）は修正ガイド間をウエブが通過している状態の横断面図、図（ｂ）は修正ガイドを構成する規制ガイドの平面図である。
【図４】図４は第２の実施例に係るウエブの蛇行修正装置を示す図であり、図（ａ）はウエブの平面図、図（ｂ）は修正ガイドとウエブの横断面図、図（ｃ）は規制ガイドの平面図である。（実施例２）
【発明を実施するための形態】
【００１０】
ウエブは、シート上の両側部に所定の間隔で表面上に突出した支持体が取り付けられている。このウエブはロール状に巻かれており、繰り出しモータによって回転されるローラによって繰り出され、修正ガイドに送られる。修正ガイドはウエブの両面側にそれぞれ配置された規制ガイドと対向ガイドを有している。規制ガイドは、ウエブの支持体が取り付けられている前面側に配置されており、そのウエブ側の面上に、ウエブの両側の支持体間に嵌り込む規制部が設けられている。規制部の上流側の端部は幅が狭く、その外側に嵌合した両側の支持体との間に大きい間隔が開いている。規制部は下流側に向かうに従って次第に幅が広くなり、下流端では、両支持体間の間隔とほぼ同じ幅になっている。また、対向ガイドは、規制ガイドによってウエブの蛇行が修正される際に、このウエブの背面側を支持するようになっている。
【００１１】
従って、ウエブが修正ガイドの位置に到達すると、両側の支持体の間隔よりも規制部の幅が小さいので、ウエブが蛇行して所定の搬送経路からずれている場合でも、両支持体が確実に規制部の両側に嵌合する。そして、下流側に進行するに従って、規制ガイドの規制部の幅が広くなるので、ウエブの両支持体との距離が接近し、ウエブは次第に所定の搬送経路の中心に誘導され、規制ガイドの下流端を出るときにはウエブが蛇行していた場合でもその移動経路が完全に修正される。
【実施例１】
【００１２】
以下、図面に示す実施例により本発明を説明する。この実施例に係る蛇行修正装置で走行状態を修正されるウエブ２は、図２に示すように、不織布のシート４の両側部に一定の間隔で支持体６が取り付けられている。また、取り付けられている両側の支持体６の中央部は、支持体６の幅Ｗ１とほぼ同じ程度の幅Ｗ２の空間８が形成されている。なお、支持体６の幅Ｗ１と空間８の幅Ｗ２は図示のものに限定されないことはいうまでもない。これら支持体６は、このウエブ２がコーヒー抽出用のバッグ等として成形された際に、コーヒーカップの縁部に引っ掛ける取っ手状の部分であり、紙製でシート４上に紙の厚さ分だけ突出している（図３（ａ）参照）。
【００１３】
前記ウエブ２はロール状に巻かれた状態（図示せず）で支持されており、繰り出しモータ１０によって回転される一対の２つ折りローラ２０によって繰り出されて修正ガイド１４に送られる。この修正ガイド１４で蛇行を修正されたウエブ２は、ローラ１２によって方向変換されて、２つ折り手段１６に送られる。２つ折り手段１６は、２つ折りガイド１８と前記一対の２つ折りローラ２０を備えており、これら２つ折りガイド１８と２つ折りローラ２０を介して、ウエブ２が長手方向の中央部（前記支持体６の間の空間８の中央部）で２つ折りにされる。ウエブ２は、両側に取り付けられている支持体６の中間の位置で折り曲げられるので、シート４の折り曲げられた部分が形成されるバッグの底部を形成し、両側の支持体６は２枚のシート４が重ね合わされた開口側に位置している。
【００１４】
２枚重ねにされたウエブ２は、この実施例では下方へ向けて搬送されており、各支持体６の中間（搬送方向に並んでいる支持体６の中間）の位置で、長手方向を横断する方向に移動する図示しない超音波ホーン（符号２２はこの超音波ホーンの移動軌跡を示す）によって、シールされカットされる。この状態で、図１の下部に示すように、底部２４ａが折り曲げられ、両側部２４ｂ、２４ｃがシールされ、２枚重ねの開口部２４ｄが開放している形状のバッグ２４が形成される。このバッグ２４の開口部２４ｄ側からコーヒーの粉等の内容物が充填された後、この開口部２４ｄがシールされて密封される。
【００１５】
修正ガイド１４は、規制ガイド２６と対向ガイド２８からなり、これら両ガイド２６、２８が前記ウエブ２を挟んで対向して配置されている（図１および図３（ａ）参照）。規制ガイド２６は、搬送されるウエブ２の突出した支持体６が取り付けられている面（以下、前面と呼ぶ）側に配置されており、その長手方向の中央部に、前記ウエブ２の両側の支持体６の厚さ（突出量）とほぼ同じ厚さを有する規制部３０が形成されている。なお、規制部３０の厚さは、支持体６の厚さとほぼ同じ厚さに限らず、支持体６の横方向への移動を規制できるものであればよい。この規制部３０は、上流側から下流側に向かうに従ってその幅が変化しており、上流側の端部３０ａでは、幅Ｗ３が狭く両側の支持体６に対して間隔が開いている。そして、規制部３０は下流側に向かうに従って次第に幅が広くなっており、下流端３０ｂでは、両側の支持体６の間隔（空間８の幅Ｗ２）とほぼ同じ幅Ｗ４になっている。また、対向ガイド２８は、ウエブ２の背面側に配置されており、ウエブ２が規制ガイド２６によって蛇行を修正される際にその背後を支持する。
【００１６】
前記構成のウエブの蛇行修正装置の作動について説明する。ロール状に巻かれたウエブ２は、繰り出しモータ１０によって回転される２つ折りローラ２０によって繰り出され、修正ガイド１４に送られる。修正ガイド１４の規制ガイド２６は長手方向の中央部に、ウエブ２の前面側を向けて規制部３０が形成されているが、この規制部３０は、図３（ｂ）に示すように、上流側の端部３０ａの幅Ｗ３が狭くなっており、ウエブ２に設けられた両側の支持体６の間の空間８の幅Ｗ２よりも細くなっている。そのため、ウエブ２が蛇行してその長手方向の中心線が搬送経路の中心線（規制ガイド２６の規制部３０の中心線に一致している）からずれている場合でも、規制部３０の両側に確実に嵌り込むことができる。
【００１７】
ウエブ２の両側に設けられた支持体６が、規制ガイド２６の規制部３０に両側から嵌合した状態でウエブ２が搬送されるので、ウエブ２が所定の経路から外れようとしても、支持体６と規制部３０とが係合して所定の経路に戻される。しかも、規制部３０の幅が次第に広くなり、下流端では、その幅Ｗ４が支持体６間の空間の幅Ｗ２にほぼ一致するので、最終的に規制ガイド２６を外れる時点では、ウエブ２が所定の搬送経路に戻されて搬送される。この実施例に係る蛇行修正装置では、シート４に取り付けられている支持体６が外側にはみ出している場合でも、蛇行を修正し、蛇行の発生を防止することができる。また、センサ等を必要とせず、簡単なガイドだけで蛇行を修正できるので極めてローコストである。
【実施例２】
【００１８】
前記実施例１では、ドリップコーヒー等に使用されるウエブ２の蛇行修正を行う場合について説明したが、このようなシート４の両側に突出部（支持体６）が形成されたウエブ２（つまり、進行方向に対し交差する方向に複数の支持体６が形成されているウエブ２）に限るものではなく、図４（ａ）に示すように、シート１０４の中央部に一定の間隔で突出部である支持体１０６が形成されたウエブ１０２にも適用可能である。
【００１９】
この実施例では、ウエブ１０２の前面中央に支持体１０６が取り付けられているので、修正ガイド１１４の規制ガイド１２６は、ウエブ２側を向いた面の両側部に規制部１３０、１３２が設けられている。これら両側の規制部１３０、１３２は、規制ガイド１２６の上流側の端部１３０ａ、１３２ａでは、ウエブ１０２の支持体１０６の幅Ｗ５よりも広い間隔Ｗ６を有しており、下流側に向かって両規制部１３０、１３２の間隔が次第に小さくなり、下流端１３０ｂ、１３２ｂでは、支持部１０６の幅Ｗ５とほぼ同じ間隔Ｗ７になっている。また、修正ガイド１１４は、前記規制ガイド１２６とウエブ１０２の背面側を支持する対向ガイド１２８を有していることは前記実施例と同様である。
【００２０】
この実施例でも、図示しないロールから繰り出されたウエブ１０２が、修正ガイド１１４に到達すると、ウエブ１０２の前面側に突出している支持体１０６が、規制ガイド１２６に形成されている両側の規制部１３０、１３２の間に嵌り込み、両規制部１３０、１３２間を進行する。規制ガイド１２６の上流端では、両側の規制部１３０ａ、１３２ａ間の間隔が大きいので、ウエブ１０２が蛇行していてもこれら両規制部１３０、１３２間に嵌り込むことができる。その後、規制ガイド１２６に対してウエブ１０２が前進していくと、両側の規制部に間隔が次第に狭くなっているのでこれら規制部１３０、１３２に規制されて、所定の搬送経路に誘導される。従って、ウエブ１０２が蛇行している場合には蛇行が修正され、ウエブ１０２が蛇行しそうになった場合には蛇行が防止される。
【符号の説明】
【００２１】
２    ウエブ
６    突出部（支持体）
１０    繰り出し手段（繰り出しモータ）
１４    修正ガイド
２６    規制ガイド
２８    対向ガイド
３０    規制部
【図１】
2015081195.tif 000003
【図２】
2015081195.tif 000004
【図３】
2015081195.tif 000005
【図４】
2015081195.tif 000006